(57)【要約】【課題】  ユーザーの使用状況や好みに応じ、任意にコードを通常の下垂状態から容易に耳掛け式としたり、あるいはその逆に耳掛け状態から下垂状態に選択して使用し得、使い勝手が良好なイヤホンを提供する。【解決手段】  内部にドライバーユニットが設けられたフロントハウジングの前方外周部分にイヤーパッドが被着され、かつフロントハウジングの後方にリヤハウジングが設けられ、リヤハウジングにブッシングが設けられ、ブッシングの下端部のコード導出部からコードが導出されたイヤホンであって、前記ブッシングは回転自在の構成とした。【選択図】  図１
2010081306.tif 000002
【特許請求の範囲】
【請求項１】
内部にドライバーユニット（８）が設けられたフロントハウジング（２）の前方外周部分にイヤーパッド（３）が被着され、かつフロントハウジング（２）の後方にリヤハウジング（４）が設けられ、リヤハウジング（４）にブッシング（６）が設けられ、ブッシング（６）の下端部のコード導出部（６ａ）からコード（９）が導出されたイヤホン（１）であって、
前記ブッシング（６）は回転自在であることを特徴とするイヤホン。
【請求項２】
請求項１記載のイヤホンにおいて、
前記リヤハウジング（４）内に回転自在なシャフト（１１）が設けられ、このシャフト（１１）に前記ブッシング（６）が当接され、前記シャフト（１１）および前記ブッシング（６）が回転自在であることを特徴とするイヤホン。
【請求項３】
請求項１記載のイヤホンにおいて、
前記コード（９）が導出された前記ブッシング（６）は、前記コード（９）が下方に垂れた状態から前記コード（９）を耳掛け式とする範囲内で回転自在であることを特徴とするイヤホン。
【発明の詳細な説明】
【技術分野】
【０００１】
この発明は、耳に装着し、音楽等を聞くためのイヤホンに関する。
【背景技術】
【０００２】
イヤホンはユーザーの耳の耳珠と対珠とによってイヤホンハウジングを保持しつつ耳の穴にイヤホンのイヤーパッド部分を挿入して使用する。この場合、イヤホン下部にはブッシングが設けられ、このブッシングからコードが導出され、このコードは装着時に、通常、下方に垂れ下がる（以下、下垂状態という）。
【非特許文献１】登録意匠第１３３６０８４号
【発明の開示】
【発明が解決しようとする課題】
【０００３】
しかしながら、使用時に、例えば下を向いたりすると下垂状態のコードが顔の前方下部に垂れ下がり目ざわりとなったり、邪魔になる。また、早足で歩いたり、駆けたりするとコードがブラブラして煩わしい、という課題がある。
【０００４】
コードを耳に掛ければ良いが、コードを無理に耳に引き回すとコードにストレスがかかり、また、コードは耳から外れ易い。
【０００５】
この発明は上記のことに鑑み提案されたもので、その目的とするところは、ユーザーの使用状況や好みに応じ、任意にコードを通常の下垂状態から容易に耳掛け式としたり、あるいはその逆に耳掛け状態から下垂状態に選択して使用し得、使い勝手が良好なイヤホンを提供することにある。
【課題を解決するための手段】
【０００６】
請求項１の発明は、内部にドライバーユニット（８）が設けられたフロントハウジング（２）の前方外周部分にイヤーパッド（３）が被着され、かつフロントハウジング（２）の後方にリヤハウジング（４）が設けられ、リヤハウジング（４）にブッシング（６）が設けられ、ブッシング（６）の下端部のコード導出部（６ａ）からコード（９）が導出されたイヤホン（１）であって、前記ブッシング（６）は回転自在であることを特徴とする。
請求項２の発明は、請求項１記載のイヤホンにおいて、前記リヤハウジング（４）内に回転自在なシャフト（１１）が設けられ、このシャフト（１１）に前記ブッシング（６）が当接され、前記シャフト（１１）および前記ブッシング（６）が回転自在であることを特徴とする。
請求項３の発明は、請求項１記載のイヤホンにおいて、前記コード（９）が導出された前記ブッシング（６）は、前記コード（９）が下方に垂れた状態から前記コード（９）を耳掛け式とする範囲内で回転自在であることを特徴とする。
【発明の効果】
【０００７】
この発明によれば、ブッシングが回動自在になっているため、ユーザーはコードを有するブッシングを任意、かつ容易に通常の下垂状態から耳掛け式に、あるいはその逆にすることができ、使い勝手が良好である。
【発明を実施するための最良の形態】
【０００８】
以下、この発明の実施例を図面に沿って説明する。
【実施例１】
【０００９】
図１は本発明のイヤホンの外観斜視図、図２は本発明のイヤホンの部分概略断面図である。
【００１０】
まず、図１において、１はイヤホンで、このイヤホン１は樹脂または金属からなる中空状のフロントハウジング２と、このフロントハウジング２の前方部分外側に被着された軟質の弾性材からなるイヤーパッド３と、フロントハウジング２の後部２ａに連結されたリヤハウジング４と、リヤハウジング４の下部にリング５を介し、矢印で示すように、回転自在に設けられたブッシング６とを備えて構成されている。６ａはコード導出部、９はコードである。
【００１１】
図２に示すように、イヤーパッド３は内側部分３ａと空間部３ｂを介しその外側に位置する外側部分３ｃとの２重構造をなす。このように空間部３ｂを介し２重構造としたのは、耳の穴挿入時に外側部分３ｃの弾性変形を容易としたためである。また、耳の穴の形状に沿って容易に変形可能とし、装着感を良好としたためである。
【００１２】
フロントハウジング２の外周にイヤーパッド３の内側部分３ａが被せられ、外側部分３ｃの前方部３ｃ’はフロントハウジング２側に折曲され、フロントハウジング２前部を覆っている。この場合、フロントハウジング２の外周の一部に凹部２ｂを形成しておくと、イヤーパッド３が外れにくくなり好ましい。なお、凹部２ｂの位置は図示の状態に限定されるものではない。また、イヤーパッド３の内側部分３ａをフロントハウジング２の外周にぴったりと被せるようにして抜けないようにすれば別段凹部２ｂはなくても良い。
【００１３】
フロントハウジング２内の前部にはプロテクトスクリーン７が設けられ、その背面側には振動板とその駆動用磁気回路を含むドライバーユニット８が設けられている。このようなドライバーユニット８の構成は周知であるため、内部構造は省略する。９はドライバーユニット８のボイスコイル（図示せず）に一端部が接続された音声信号供給用のコードであり、コード９の他端はフロントハウジング２の後方に形成され、かつフロントハウジング２の本体部分より小径の円筒状の後部２ａを介しリヤハウジング４側に導出され、図１に示したコード導出部６ａから外部に出ている。
【００１４】
図３は図中１Ａ−Ａ線断面図であって、リヤハウジング４、ブッシング６等の内部構造を示す。
【００１５】
リヤハウジング４は、図示の状態において、逆Ｕ字状の形状をなし、先端部にはカバー１０が設けられている。このカバー１０は、リヤハウジング４をフロントハウジング２へ固定しているネジの頭（図示せず）を外から見えないように隠すためのものである。また、リヤハウジング４内には円筒状のシャフト１１が設けられている。このシャフト１１の上方外周部にはフック状の係合部１１ａが形成され、その下方には凹部１１ｂが形成され、この係合部１１ａおよび凹部１１ｂに対応してリヤハウジング４の内周部に係合部１１ａを回転自在に支持するとともに、凹部１１ｂに係合する段部４ａが形成され、シャフト１１が下方に抜け落ちないように構成されている。また、シャフト１１の下半部外周にはリング５を介しブッシング６が設けられている。
【００１６】
リング５の本体５ａはシャフト１１の外周面とリヤハウジング４の下方内周面との間に形成された空間部４ｂに回転可能に設けられている。リング５の下部は外側に向かって折曲され、その折曲部５ｂの下方にブッシング６の上部が取り付けられている。
【００１７】
このブッシング６の内周面はシャフト１１の外周面に当接し、ブッシング６は、シャフト１１、リング５と共に、矢印で示すように、所定の範囲内で回転可能となっている。ブッシング６を３６０度フリーに回転自在とすると、コード９が捩れて損傷したり、断線する恐れがあるためである。
【００１８】
図４は、所定の範囲内だけブッシング６を回転可能とする一構造例である。リヤハウジング４の内周面の一部に案内溝４ｃを形成し、かつシャフト１１の外周面に案内溝４ｃ内を移動可能な突状のストッパー１１ｃを設ければリヤハウジング４に対しシャフト１１、ひいてはリング５およびブッシング６を所定の範囲Ａ内だけ回転させることができる。他の手段を用いて所定の範囲回転自在としても良いことは勿論である。
【００１９】
所定の範囲Ａとは、コード９の下垂状態位置ないし耳掛け状態位置の範囲である。
【００２０】
図５（ａ）はイヤホン１の側面図、（ｂ）は（ａ）の状態を下方から見た状態を示し、図５（ａ）、（ｂ）から図７（ａ）、（ｂ）はブッシング６の回転状態を示す。図５（ａ）、（ｂ）を、例えばコード下垂状態とすると図７（ａ）、（ｂ）は耳掛け式の場合である。
【００２１】
図８はイヤホン１を耳１２の穴に挿入した状態であって、コード９の下垂時である。図中１２ａは耳珠である。
【００２２】
図９はイヤホン１の位置を耳１２の上部側に回転させ、ブッシング６を回転させコード９を耳掛け式とした場合を示す。
【００２３】
このように本発明によれば、耳１２へのイヤホン１の装着状態を、必要に応じコード下垂タイプと耳掛け式タイプとを容易に使い分けすることができる。
【図面の簡単な説明】
【００２４】
【図１】本発明のイヤホンの側面図を示す。
【図２】本発明のイヤホンの部分概略断面図を示す。
【図３】図１中Ａ−Ａ線断面図を示す。
【図４】ブッシングを所定範囲内回転させる一構成例を示す。
【図５】（ａ）、（ｂ）はブッシングを回転させる状態で、（ａ）は側面図、（ｂ）は同上の底面図を示す。
【図６】（ａ）はブッシングの回転過程の側面図、（ｂ）は同上の底面図を示す。
【図７】（ａ）はブッシングを一端側から他端側に回転させた状態の側面図、（ｂ）は同上の底面図である。
【図８】本発明のイヤホンを耳へ装着した場合であってコードの下垂状態を示す。
【図９】本発明のイヤホンを耳掛け式とした状態を示す。
【符号の説明】
【００２５】
１      イヤホン
２      フロントハウジング
２ａ    フロントハウジング後部
３      イヤーパッド
３ａ    内側部分
３ｂ    空間部
３ｃ    外側部分
３ｃ’  外側部分前方部
４      リヤハウジング
４ａ    段部
４ｂ    空間部
４ｃ    案内溝
５      リング
５ａ    リング本体
５ｂ    リング折曲部
６      ブッシング
６ａ    コード導出部
７      プロテクトスクリーン
８      ドライバーユニット
９      コード
１０    カバー
１１    シャフト
１１ａ  係合部
１１ｂ  凹部
１１ｃ  ストッパー
【図１】
2010081306.tif 000003
【図２】
2010081306.tif 000004
【図３】
2010081306.tif 000005
【図４】
2010081306.tif 000006
【図５】
2010081306.tif 000007
【図６】
2010081306.tif 000008
【図７】
2010081306.tif 000009
【図８】
2010081306.tif 000010
【図９】
2010081306.tif 000011
【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
内部にドライバーユニット（８）が設けられたフロントハウジング（２）の前方外周部分にイヤーパッド（３）が被着され、かつフロントハウジング（２）の後方にリヤハウジング（４）が設けられ、リヤハウジング（４）にブッシング（６）が設けられ、ブッシング（６）の下端部のコード導出部（６ａ）からコード（９）が導出されたイヤホン（１）であって、
前記リヤハウジング（４）内に回転自在なシャフト（１１）が設けられ、このシャフト（１１）に前記ブッシング（６）が当接され、前記シャフト（１１）および前記ブッシング（６）が回転自在で、かつ前記コード（９）が導出された前記ブッシング（６）は、前記コード（９）が下方に垂れた状態から前記コード（９）を耳掛け式とする範囲内で回転自在であることを特徴とするイヤホン。
【手続補正２】
【補正対象書類名】明細書
【補正対象項目名】０００６
【補正方法】変更
【補正の内容】
【０００６】
請求項１の発明は、内部にドライバーユニット（８）が設けられたフロントハウジング（２）の前方外周部分にイヤーパッド（３）が被着され、かつフロントハウジング（２）の後方にリヤハウジング（４）が設けられ、リヤハウジング（４）にブッシング（６）が設けられ、ブッシング（６）の下端部のコード導出部（６ａ）からコード（９）が導出されたイヤホン（１）であって、前記リヤハウジング（４）内に回転自在なシャフト（１１）が設けられ、このシャフト（１１）に前記ブッシング（６）が当接され、前記シャフト（１１）および前記ブッシング（６）が回転自在で、かつ前記コード（９）が導出された前記ブッシング（６）は、前記コード（９）が下方に垂れた状態から前記コード（９）を耳掛け式とする範囲内で回転自在であることを特徴とする。